【手続補正書】
【提出日】令和3年1月29日(2021.1.29)
【手続補正１】
【補正対象書類名】特許請求の範囲
【補正対象項目名】全文
【補正方法】変更
【補正の内容】
【特許請求の範囲】
【請求項１】
Ｓ波偏光を出射するＳ波出射部とＰ波偏光を出射するＰ波出射部とを備え、前記Ｓ波偏光と前記Ｐ波偏光とを含む光を出射するディスプレイと、
入射する光の電界振動方向に（π／２）の位相差を与えて当該光を透過させる第一波長板と、
前記ディスプレイ側から入射した光を透過させ、前記ディスプレイ側とは反対側から入射した光を再帰反射する第一再帰反射部と、
入射する光の電界振動方向に（π／２）の位相差を与えて当該光を透過させる第二波長板と、
前記ディスプレイ側から入射した光を反射光と透過光とに分岐する光分岐部と、
を備え、
前記ディスプレイ、前記第一波長板、前記第一再帰反射部、前記第二波長板、及び前記光分岐部がこの順に配置され、
前記ディスプレイから出射された光が前記第一波長板、前記第一再帰反射部、及び前記第二波長板を透過して、前記光分岐部に入射し、
前記光分岐部で反射された光が前記第二波長板を透過して前記第一再帰反射部で再帰反射される、
表示装置。
【請求項２】
Ｓ波偏光を出射するＳ波出射部とＰ波偏光を出射するＰ波出射部とを備え、前記Ｓ波偏光と前記Ｐ波偏光とを含む光を出射するディスプレイと、
透過型視差バリア、透過型パララックスバリア、及び透過型レンチキュラーレンズのうち少なくとも何れかを備える３次元フィルムと、
前記ディスプレイ側から入射した光を透過させ、前記ディスプレイ側とは反対側から入射した光を再帰反射する第一再帰反射部と、
前記ディスプレイ側から入射した光を反射光と透過光とに分岐する光分岐部と、
を備え、
前記ディスプレイ、前記３次元フィルム、前記第一再帰反射部、及び前記光分岐部がこの順に配置され、
前記ディスプレイから出射された光が前記３次元フィルム及び前記第一再帰反射部を透過して、前記光分岐部に入射し、
前記光分岐部で反射された光が前記第一再帰反射部で再帰反射される、
表示装置。
【請求項３】
前記３次元フィルムは、前記ディスプレイから出射された前記Ｓ波偏光を第１観測位置に向けて出射し、前記ディスプレイから出射された前記Ｐ波偏光を前記第１観測位置とは異なる第２観測位置に向けて出射する、
請求項２に記載の表示装置。
【請求項４】
前記ディスプレイの面内の所定の領域毎に当該領域から出射される前記Ｓ波偏光又は前記Ｐ波偏光が調節可能である、
請求項１から３の何れか一項に記載の表示装置。
【手続補正２】
【補正対象書類名】明細書
【補正対象項目名】発明の名称
【補正方法】変更
【補正の内容】
【発明の名称】表示装置
【手続補正３】
【補正対象書類名】明細書
【補正対象項目名】０００１
【補正方法】変更
【補正の内容】
【０００１】
本発明は、表示装置に関する。
【手続補正４】
【補正対象書類名】明細書
【補正対象項目名】０００８
【補正方法】変更
【補正の内容】
【０００８】
本発明は、上記問題を解決するためになされたものであって、空中に形成される像（空中像）をより広い角度から観察可能とする表示装置を提供する。
【手続補正５】
【補正対象書類名】明細書
【補正対象項目名】０００９
【補正方法】変更
【補正の内容】
【０００９】
本発明に係る表示装置は、Ｓ波偏光を出射するＳ波出射部とＰ波偏光を出射するＰ波出射部とを備え、前記Ｓ波偏光と前記Ｐ波偏光とを含む光を出射するディスプレイと、入射する光の電界振動方向に（π／２）の位相差を与えて当該光を透過させる第一波長板と、前記ディスプレイ側から入射した光を透過させ、前記ディスプレイ側とは反対側から入射した光を再帰反射する第一再帰反射部と、入射する光の電界振動方向に（π／２）の位相差を与えて当該光を透過させる第二波長板と、前記ディスプレイ側から入射した光を反射光と透過光とに分岐する光分岐部と、を備え、前記ディスプレイ、前記第一波長板、前記第一再帰反射部、前記第二波長板、及び前記光分岐部がこの順に配置され、前記ディスプレイから出射された光が前記第一波長板、前記第一再帰反射部、及び前記第二波長板を透過して、前記光分岐部に入射し、前記光分岐部で反射された光が前記第二波長板を透過して前記第一再帰反射部で再帰反射される。
【手続補正６】
【補正対象書類名】明細書
【補正対象項目名】００１０
【補正方法】変更
【補正の内容】
【００１０】
本発明に係る表示装置は、Ｓ波偏光を出射するＳ波出射部とＰ波偏光を出射するＰ波出射部とを備え、前記Ｓ波偏光と前記Ｐ波偏光とを含む光を出射するディスプレイと、透過型視差バリア、透過型パララックスバリア、及び透過型レンチキュラーレンズのうち少なくとも何れかを備える３次元フィルムと、前記ディスプレイ側から入射した光を透過させ、前記ディスプレイ側とは反対側から入射した光を再帰反射する第一再帰反射部と、前記ディスプレイ側から入射した光を反射光と透過光とに分岐する光分岐部と、を備え、前記ディスプレイ、前記３次元フィルム、前記第一再帰反射部、及び前記光分岐部がこの順に配置され、前記ディスプレイから出射された光が前記３次元フィルム及び前記第一再帰反射部を透過して、前記光分岐部に入射し、前記光分岐部で反射された光が前記第一再帰反射部で再帰反射される。
【手続補正７】
【補正対象書類名】明細書
【補正対象項目名】００１１
【補正方法】変更
【補正の内容】
【００１１】
本発明に係る表示装置では、前記３次元フィルムは、前記ディスプレイから出射された前記Ｓ波偏光を第１観測位置に向けて出射し、前記ディスプレイから出射された前記Ｐ波偏光を前記第１観測位置とは異なる第２観測位置に向けて出射してもよい。
【手続補正８】
【補正対象書類名】明細書
【補正対象項目名】００１２
【補正方法】変更
【補正の内容】
【００１２】
本発明に係る表示装置では、前記ディスプレイの面内の所定の領域毎に当該領域から出射される前記Ｓ波偏光又は前記Ｐ波偏光が調節可能であってもよい。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】